(57)【要約】【課題】本発明はバリケード用Ａ形スタンドにおいて、左右の外力によって傾斜しずらいものとし、変形や破損しやすい固定具を交換することが出来るバリケード用Ａ形スタンドを提供することを目的としている。【解決手段】Ａ形スタンドの構造体に直交クランプ５を装着するための頂部水平部材３と下部水平部材４を丸形の部位を設うけたバリケード用Ａ形スタンドを構成している。【選択図】図１
2019190260.tif 000002
【特許請求の範囲】
【請求項１】
バリケード用Ａ形スタンドにおいて、
二股部材（２）と、該二股部材（２）の頂部に配設される頂部水平部材（３）と下方に配設される下部水平部材（４）から構成されるもので、
前記、頂部水平部材（３）の形状を直交クランプ（５）を固定するために丸形とし、前記下部水平部材（４）の中央部の形状を直交クランプ（５）を固定するために丸形の部位を設うけたもので、
Ａ形スタンドの構造体に直交クランプ（５）で固定するための水平方向に丸形の部位を設うけた事を特徴とするバリケード用Ａ形スタンド。
【請求項２】
前記頂部水平部材（３）のみを直交クランプ（５）を固定するために丸形とした請求項１のバリケード用Ａ形スタンド。
【請求項３】
前記二股部材（２）を合成樹脂製とし、前記頂部水平部材（３）と下部水平部材（４）を直交クランプ（５）を固定するための鋼管とした請求項１のバリケード用Ａ形スタンド。
【発明の詳細な説明】
【技術分野】
【０００１】本発明は、バリケード用Ａ形スタンドに関する。
【背景技術】
【０００２】従来、合成樹脂製のＡ形スタンドが利用されている。（例えば図６）
これはＡ形スタンドの頂部と下部水平部材にネジ付きクランプを装着したものだが、しかしながら、Ａ形スタンドとの締め付け面はナットなので接触面は小さいため固定力は弱くそのためＡ形スタンドは左右に傾斜しやすい欠点があった。【０００３】従来、安全フェンスが知られている。（例えば特許文献１）
これはＡ形状の支柱にヨコパイプを固定するためのパイプ用クリップを設うけたものだが、しかしながら、支柱の構造体と固定部は一体化しているため固定部が変形や破損すると支柱全体を廃棄しなければならない欠点があった。【０００４】従来、合成樹脂製で動物を模したＡ形状スタンドが利用されている。（例えば図８）
これはＡ形スタンドを箱形のクランプで固定し上方を丸形クランプと一体化した固定具だが、しかしながら、箱形のクランプでは全面を均一に締め付けられないため固定力が小さいためＡ形スタンドは傾斜しやすい欠点があった。【０００５】従来、鋼製でＡ形スタンドの二股部材の片方を頂部より伸してそこに直交クランプを固定し下方は下部水平部材にタテの固定部材を装着したものが利用されている。（例えば図７）
しかしながら、Ａ形スタンドの重心とタテ中心線とは外れているため安定性に欠点があり、又Ａ形スタンドの構造体以外に直交クランプの固定部位を設うけるため構造が複雑となりコスト高となる欠点があった。
【先行技術文献】
【特許文献】
【０００６】
【特許文献１】登録実用新案公報  第３０１７４７１号
【発明の概要】
【発明が解決しようとする課題】
【０００７】本発明は以上の欠点に鑑み、Ａ形スタンドが左右に傾斜しずらいものとし、Ａ形スタンドに装着する固定具は変形や破損しやすいので交換可能なものとし、Ａ形構造体を有効に活用して単純化してコストダウンを計ったバリケード用Ａ形スタンドを提供することを目的としている。
【課題を解決するための手段】
【０００８】上記目的を達成するために本発明は、
バリケード用Ａ形スタンドにおいて、二股部材２と、該二股部材２の頂部に配設される頂部水平部材３と下方に配設される下部水平部材４から構成されるもので、前記頂部水平部材３の形状を直交クランプ５を固定するために丸形とし、前記下部水平部材４の形状を直交クランプ５を固定するために丸形の部位を設うけたもので、Ａ形スタンドの構造体に直交クランプ５で固定するための水平方向に丸形の部位を設うけた事を特徴としたバリケード用Ａ形スタンドを構成している。【０００９】前記頂部水平部材３のみを直交クランプ５を固定するために丸形とした上記（０００８）のバリケード用Ａ形スタンドを構成している。【００１０】前記二股部材２を合成樹脂製とし、前記頂部水平部材３と下部水平部材４を直交クランプ５を固定するための鋼管とした上記（０００８）のバリケード用Ａ形スタンドを構成している。
【発明の効果】
【００１１】以上の説明から明らかなように本発明においては次に列挙する効果が得られる。【００１２】請求項１の構成により、Ａ形スタンドの頂部水平部材３と下部水平部材４に直交クランプ５を固定するための丸形の部位を設うけることにより直交クランプ５を使用することが出来るので、従来のネジ付きクランプより接合面が大きくなるため堅固に結合されるのでＡ形スタンドは傾斜しずらいものとなる。【００１３】請求項１の構成により、左右の外力によってＡ形スタンドとヨコ連結鋼管６の固定具は変形したり破損しやすいが一般に利用されている直交クランプ５を用いていることにより交換することによりＡ形スタンドは再利用可能となる。【００１４】請求項１の構成により、Ａ形スタンドの頂部水平部材３と下方の下部水平部材４に直交クランプ５を固定するための丸形の部位を設うけることにより構造体が固定部となるため単純構造となりコストダウンすることができる。【００１５】請求項２の構成により、Ａ形スタンドの頂部水平部材３のみに直交クランプ５を固定するための丸形の部位を設うけることによりヨコ連結鋼管６は上段のみでバリケードとするもので毎日移動するような設置場所用としては軽量化され持ち運びしやすいものとなる。【００１６】請求項３の構成により、強度を要する部材別に分けたもので二股部材２は合成樹脂製とし、頂部水平部材３と下部水平部材４を鋼管とすることでコストダウンを計ることが出来る。
【図面の簡単な説明】
【００１７】
【図１】  本発明を実施するための第１の形態のバリケード用Ａ形スタンド図。
【図２】  本発明を実施するための第１の形態のバリケード用Ａ形スタンドの斜視図。
【図３】  本発明を実施するための第２の形態のバリケード用Ａ形スタンド図。
【図４】  本発明を実施するための第２の形態のバリケード用Ａ形スタンドの斜視図。
【図５】  本発明を実施するための第３の形態のバリケード用Ａ形スタンド図。
【図６】  従来のネジ付きクランプを用いたバリケード用Ａ形スタンドの斜視図。
【図７】  従来の直交クランプ５を用いた鋼製のＡ形スタンド図。
【図８】  従来の箱形付きクランプを用いたバリケード用Ａ形スタンド図。
【発明を実施するための形態】
【００１８】以下図面に示す本発明を実施するための形態により本発明を詳細に説明する。
【００１９】１はバリケード用Ａ形スタンドで、左右に配置しヨコ連結鋼管を用いて仕切り機能を有するもので、合成樹脂製や鋼製があり形状としてはＡ形状を基本とするが、曲線や動物を模したものなどデザインは自由とする。
２は二股部材で、正面側の外力に対して転倒防止機能を有するもので左右対称とする。
３は頂部水平部材で、二股部材２の頂部つなぎ材となるものでその形状は円筒形や円柱形の丸形とすることで直交クランプ５が装着される。
４は下部水平部材で、直交クランプを固定するため中央部は丸形としそれ以外は自由とし補強のためのリブを設うけても良い。
５は直交クランプで、一般に足場で利用されているもので可。
６はヨコ連結鋼管で、左右のＡ形スタンドを連結するものでその長さは設置する場所によるものとする。
【産業上の利用可能性】
【００２０】本発明は、バリケードを製造する産業で利用される。
【符号の説明】
【００２１】１：バリケード用Ａ形スタンド、２：二股部材、３：頂部水平部材、４：下部水平部材、５：直交クランプ、６：ヨコ連結鋼管、７：ネジ付きクランプ、８：箱付きクランプ、９：合成樹脂製二股部材、１０：頂部水平鋼管部材、１１：下部水平鋼管部材、１２：ボルトナット。
【図１】
2019190260.tif 000003
【図２】
2019190260.tif 000004
【図３】
2019190260.tif 000005
【図４】
2019190260.tif 000006
【図５】
2019190260.tif 000007
【図６】
2019190260.tif 000008
【図７】
2019190260.tif 000009
【図８】
2019190260.tif 000010